(57)【特許請求の範囲】
【請求項１】
支持材に対してフレーム材を横向きに連結する際に使用する連結金具であって、１枚の板材をチャンネル状に屈曲してなり、左右の上向きの連結フックと、支持部と上下の切欠きとを介して前記各連結フックの前方に並設する左右の係合フックと、前記各連結フックの下方に前向きに突出する規制部とを形成し、前記係合フックは、前記支持部の上下に下より上を長く延長し、支持材の側面のスリット状の係合孔に挿入することにより、前記支持部の下端を係合孔の下端に係合させて前記規制部を支持材の外面に当接させ、前記連結フックは、前記上部の切欠きに差し込まれるフレーム材の連結片を支持材の側面との間に保持してフレーム材を支持材に連結することを特徴とする間仕切りパネルにおけるフレーム材の連結金具。
【請求項２】
前記上部の切欠きの幅を連結片の板厚と支持材の板厚との和相当に設定することを特徴とする請求項１記載の間仕切りパネルにおけるフレーム材の連結金具。
【請求項３】
前記規制部の前端と前記係合フックの後辺との間隔を支持材の板厚相当に設定することを特徴とする請求項１または請求項２記載の間仕切りパネルにおけるフレーム材の連結金具。
【請求項４】
前記上部の切欠きの底部から前記係合フックの下端までの長さを支持材の係合孔の長さ相当に設定することを特徴とする請求項１ないし請求項３のいずれか記載の間仕切りパネルにおけるフレーム材の連結金具。
【請求項５】
前記連結フックの先端部を内向きに傾斜させることを特徴とする請求項１ないし請求項４のいずれか記載の間仕切りパネルにおけるフレーム材の連結金具。
【請求項６】
前記上部の切欠きの前記連結フック側を上方に滑らかに拡幅させることを特徴とする請求項１ないし請求項５のいずれか記載の間仕切りパネルにおけるフレーム材の連結金具。
【発明の詳細な説明】
【０００１】
【発明の属する技術分野】
この発明は、パネル材を支持する柱材等の支持材に対し、幅木や、補強用の桟、笠木等のフレーム材を横向きに連結する際に使用する間仕切りパネルにおけるフレーム材の連結金具に関する。
【０００２】
【従来の技術】
間仕切りパネルシステムを構築するに際し、パネル材を支持する支持材に対して横向きにフレーム材を連結するために、専用の連結金具を使用することがある。
【０００３】
従来の連結金具は、１枚の板材をチャンネル状に屈曲し、上向きの連結フックを左右に形成して構成されており、支持材の側面に対し、ねじ止めまたは溶接等によって固定することができる。なお、連結金具は、フレーム材の端部に組み込む連結片を連結フックと支持材との間に差し込むことにより、支持材に対してフレーム材を横向きに連結することができる。
【０００４】
【発明が解決しようとする課題】
かかる従来技術によるときは、連結金具は、ねじ止めや溶接等によって支持材に固定しなければならず、取付け作業が厄介である上、レイアウト変更などによって支持材から取り外す際にも、取外し作業が簡単でないという問題があった。
【０００５】
そこで、この発明の目的は、かかる従来技術の問題に鑑み、左右の連結フックに係合フックを並設することによって、支持材に対する取付け、取外し作業を極めて簡単にすることができる間仕切りパネルにおけるフレーム材の連結金具を提供することにある。
【０００６】
【課題を解決するための手段】
かかる目的を達成するためのこの発明の構成は、支持材に対してフレーム材を横向きに連結する際に使用する連結金具であって、１枚の板材をチャンネル状に屈曲してなり、左右の上向きの連結フックと、支持部と上下の切欠きとを介して各連結フックの前方に並設する左右の係合フックと、各連結フックの下方に前向きに突出する規制部とを形成し、係合フックは、支持部の上下に下より上を長く延長し、支持材の側面のスリット状の係合孔に挿入することにより、支持部の下端を係合孔の下端に係合させて規制部を支持材の外面に当接させ、連結フックは、上部の切欠きに差し込まれるフレーム材の連結片を支持材の側面との間に保持してフレーム材を支持材に連結することをその要旨とする。
【０００７】
なお、上部の切欠きの幅を連結片の板厚と支持材の板厚との和相当に設定することができる。
【０００８】
また、規制部の前端と係合フックの後辺との間隔を支持材の板厚相当に設定することができ、上部の切欠きの底部から係合フックの下端までの長さを支持材の係合孔の長さ相当に設定することができる。
【０００９】
さらに、連結フックの先端部を内向きに傾斜させてもよく、上部の切欠きの連結フック側を上方に滑らかに拡幅させてもよい。
【００１０】
【作用】
かかる発明の構成によるときは、各係合フックは、支持材の係合孔に挿入することにより全体を支持材に装着することができ、各連結フックは、フレーム材の連結片を上部の切欠きに差し込むことにより、支持材の側面との間に連結片を保持し、支持材に対してフレーム材を横向きに連結することができる。なお、ここでいう支持材とは、床面に立設し、パネル材を支持する柱材やポール材であり、フレーム材とは、支持材に連結する幅木、笠木、補強用の桟等をいう。
【００１１】
上部の切欠きの幅を連結片の板厚と支持材の板厚との和相当に設定するときは、上部の切欠きは、連結片と支持材とを挟み込むようにして保持し、支持材に対するフレーム材の連結状態を安定にするとともに、支持材に対してフレーム材を軽くロックして外れ止めすることができる。なお、連結片は、フレーム材の端から所定の後退量だけ後退させることにより、実質的な厚さを後退量相当分だけ大きくし、支持材に対するフレーム材のロック強度を適切に設定することができる。
【００１２】
連結フックの下方の規制部と係合フックとの間隔を支持材の板厚相当に設定すれば、規制部は、支持材の外面に当接することにより、係合フックを支持材の内面に平行に接触させることができ、支持材の外側に形成される上部の切欠きの幅を連結片の板厚相当に正しくセットすることができる。
【００１３】
上部の切欠きの底部から係合フックの下端までの長さを支持材の係合孔の長さ相当に設定するときは、係合フックは、上部の切欠きを介して係合孔に斜めに挿入するとき、下端を係合孔の下端に接触させて、これを乗り越えさせるようにして係合孔に装着することができ、係合孔から不用意に外れるおそれがない。なお、係合フックは、係合孔に対し、強く押し込み、または強く引き抜くことにより挿脱することができる。
【００１４】
連結フックの先端部を内向きに傾斜させるときは、連結フックは、連結片を上部の切欠きに挿入するとき、連結片をガイドすることができ、支持材に対してフレーム材を左右に正しく位置決めすることができる。
【００１５】
上部の切欠きを滑らかに拡幅させるときは、連結フックは、連結片を上部の切欠きに挿入するとき、連結片を支持材側にガイドし、支持材に対してフレーム材を長手方向に位置決めすることができる。
【００１６】
【発明の実施の形態】
以下、図面を以って発明の実施の形態を説明する。
【００１７】
間仕切りパネルにおけるフレーム材の連結金具１０は、左右の連結フック１３、１３と、各連結フック１３、１３に並設する左右の係合フック１４、１４とを形成してなる（図１、図２）。ただし、図２（Ａ）、（Ｂ）は、それぞれ図１のＸ1 、Ｘ2 矢視相当拡大図である。
【００１８】
連結金具１０は、１枚の板材をチャンネル状に屈曲して形成されている。連結フック１３、１３は、前方において上向きに突設されており、係合フック１４、１４は、それぞれ支持部１４ａ、上下の切欠き１５ａ、１５ｂを介して各係合フック１４の前方に並設されている。各連結フック１３は、先端部が内向きに傾斜しており（図２（Ｂ））、先端部の前辺側を緩やかに湾曲させることにより（同図（Ａ））、上部の切欠き１５ａの連結フック１３側を上方に滑らかに拡幅させている。
【００１９】
各係合フック１４は、支持部１４ａの上下に下より上を長く延長して形成されている（図１、図２（Ａ））。各係合フック１４は、後辺側を連結フック１３と平行に形成し、前辺側を斜めに形成して上部が幅広に形成されている。各係合フック１４は、支持部１４ａを介し、連結フック１３との間に上部の切欠き１５ａを形成するとともに、下部の切欠き１５ｂを形成している。なお、各連結フック１３の下方には、前向きに突出する規制部１６が形成されている。
【００２０】
連結金具１０は、支持材２１とフレーム材２２との連結部分において、支持材２１に装着して使用する（図１、図３）。
【００２１】
支持材２１は、板厚ｔa の板材を角筒状に屈曲して形成されている。支持材２１の背向する各側面には、連結金具１０の係合フック１４、１４が挿入可能なスリット状の係合孔２１ａ、２１ａが形成されている。なお、各係合孔２１ａの幅ｗa は、係合フック１４の厚さより僅かに大きく、長さｄa は、ｗ1 ＜ｄa ≒ｄ1 に設定されている。ただし、ｗ1 は、係合フック１４の上部の最大幅であり（図２（Ａ））、ｄ1 は、上部の切欠き１５ａの底部から係合フック１４の下端までの長さである。
【００２２】
支持材２１に組み合わせるフレーム材２２は、支持材２１と同様の板材から角筒状に形成されており（図１、図４）、端部の下面には、開口部２２ａが形成されている。また、フレーム材２２の端部には、連結部材２３が内装されている。
【００２３】
連結部材２３は、板厚ｔb の板材を屈曲させ、前面左右に内向きの連結片２３ａ、２３ａを形成するとともに、上面左右に内向きの取付片２３ｂ、２３ｂを形成して構成されている。連結部材２３は、フレーム材２２の上面に形成する内向きの爪２２ｂ、２２ｂを介して位置決めし、取付片２３ｂ、２３ｂを介し、フレーム材２２の上面に対して内側からスポット溶接されている。ただし、連結部材２３は、連結片２３ａ、２３ａをフレーム材２２の端から所定の後退量ａだけ後退させてセットされている。
【００２４】
連結金具１０は、上部の切欠き１５ａの幅ｗ2 ≒ｔa ＋ｔb に設定されており（図２（Ａ））、下部の切欠き１５ｂは、上部の切欠き１５ａと同一幅に設定されている。また、規制部１６の前端と係合フック１４の後辺との間隔ｄ2 は、ｄ2 ≒ｔa に設定されており、支持部１４ａの下端から係合フック１４の上端までの長さｄ3 は、ｄ3 ＞ｄa に設定されている。
【００２５】
そこで、連結金具１０は、上部の切欠き１５ａ、１５ａを介し、対応する係合孔２１ａ、２１ａに対して係合フック１４、１４を上部から差し込み（図３の実線）、支持材２１に向けて強く押して下方に回転させることにより（同図の矢印Ｋ1 方向）、係合孔２１ａ、２１ａを介して係合フック１４、１４を支持材２１内に収納して支持材２１に装着することができる（同図の二点鎖線）。このとき、各係合フック１４は、係合孔２１ａに対して前後に傾いて挿入されるため、上部の切欠き１５ａの底部から下端までの有効長が係合孔２１ａの長さｄa より僅かに長くなり、下端が係合孔２１ａの下端を乗り越えることにより支持材２１内に進出することができる。よって、係合フック１４、１４は、係合孔２１ａ、２１ａから不用意に抜けることがなく、支持材２１に対して全体を有効に外れ止めしている。
【００２６】
また、連結金具１０は、支持材２１が下部の切欠き１５ｂ、１５ｂに進入し、支持部１４ａ、１４ａの下端がそれぞれ対応する係合孔２１ａの下端に係合することにより、支持材２１の外面に正しくセットすることができる。なお、規制部１６、１６は、支持材２１の外面に当接することにより、係合フック１４、１４の後辺側を支持材２１の内面に密着させる。
【００２７】
連結フック１３、１３は、開口部２２ａを介し、支持材２１の外面に沿ってフレーム材２２側の連結片２３ａ、２３ａを上部の切欠き１５ａ、１５ａに差し込むことにより（図４の二点鎖線）、対応する係合フック１４との間に支持材２１、連結片２３ａの双方を挾み込み、支持材２１に対してフレーム材２２を安定に連結することができる。このとき、各連結フック１３は、上部の切欠き１５ａを介し、後退量ａを含む支持材２１、連結片２３ａを挾み込むことにより、フレーム材２２を移動不能にロックすることができるからである。なお、後退量ａは、支持材２１の厚さｔa ＝１．２（mm）、連結片２３ａの厚さｔb ＝２．０（mm）、上部の切欠き１５ａの幅ｗ2 ＝３．２（mm）とするとき、ａ≒０．２（mm）に設定するのがよい。また、このときの係合フック１４、１４は、それぞれ支持部１４ａに連結片２３ａの下端が係合することにより、支持部１４ａ、１４ａ、連結部材２３、２３を介してフレーム材２２を支持している。
【００２８】
なお、連結フック１３、１３は、このようにして連結片２３ａ、２３ａを上部の切欠き１５ａ、１５ａに差し込み、連結部材２３を係合させるとき、それぞれの先端部が内向きに傾斜していることにより（図２、図５）、連結部材２３、フレーム材２２を支持材２１の幅方向にガイドすることができる。さらに、連結フック１３、１３は、上部の切欠き１５ａ、１５ａの各上部を連結フック１３側に拡幅させることにより（図２、図４）、連結片２３ａ、２３ａを支持材２１側にガイドすることができる。
【００２９】
支持材２１からフレーム材２２を取り外すときは、フレーム材２２を支持材２１に沿って下方から強く押し上げ、連結片２３ａ、２３ａを上部の切欠き１５ａ、１５ａから抜き取ればよい（図４の実線）。さらに、連結金具１０を支持材２１から取り外すときは、上部の切欠き１５ａ、１５ａの底部が係合孔２１ａ、２１ａの上端に当接するまで全体を上方に移動させ、支持材２１との間に図示しない工具を下側から差し込み、全体を上方に引き起こすようにして係合フック１４、１４の下端を外部に脱出させればよい（図３の実線）。
【００３０】
以上の説明において、規制部１６、１６は、それぞれ連結金具１０の下端から支持部１４ａの下端までの間において、任意の位置に任意の長さに形成してもよく、また、連結金具１０の下端から支持部１４ａの下端にまで連続して形成してもよい。なお、この発明において、フレーム材２２は、支持材２１の下端に連結する幅木や、支持材２１の上部に連結する笠木、支持材２１の中間部に連結する補強用の桟のいずれであってもよい。
【００３１】
【発明の効果】
以上説明したように、この発明によれば、上下の切欠きを介して左右の連結フックに並設する左右の係合フックを設けることによって、各係合フックは、上下の切欠きを介して支持材の係合孔に係合させ、全体を支持材に装着することができるから、煩雑なねじ止め作業や溶接作業をする必要がなく、支持材に対する取付け、取外し作業が極めて簡単であるという優れた効果がある。
【図面の簡単な説明】
【図１】  使用状態を示す分解斜視説明図
【図２】  図１の要部拡大説明図
【図３】  図１のＹ−Ｙ線矢視相当拡大断面説明図
【図４】  使用状態を示す図３相当説明図
【図５】  図４のＺ−Ｚ線矢視相当拡大断面図
【符号の説明】
ｗ2 …幅
ｄ1 、ｄa …長さ
ｄ2 …間隔
ｔa 、ｔb …板厚
１０…連結金具
１３…連結フック
１４…係合フック
１５ａ、１５ｂ…切欠き
１６…規制部
２１…支持材
２１ａ…係合孔
２２…フレーム材
２３ａ…連結片
【図１】
0004035741.tif 000002
【図２】
0004035741.tif 000003
【図３】
0004035741.tif 000004
【図４】
0004035741.tif 000005
【図５】
0004035741.tif 000006